(57)【要約】【課題】封止層への水分の浸入を抑えることが可能な防湿構造、およびこの防湿構造を備えた表示装置を提供する。【解決手段】第１基材と第２基材との間において防湿対象を囲み、または覆う封止層と、前記封止層の外側面に接し、前記第１基材および前記第２基材の前記封止層よりも外側の外周部に設けられた防湿材と、前記第１基材の前記防湿材に接する部分および前記第２基材の前記防湿材と接する部分に設けられた非平坦構造とを備えた防湿構造。【選択図】図６
2014119705.tif 000002
【特許請求の範囲】
【請求項１】
第１基材と第２基材との間において防湿対象を囲み、または覆う封止層と、
前記封止層の外側面に接し、前記第１基材および前記第２基材の前記封止層よりも外側の外周部に設けられた防湿材と、
前記第１基材の前記防湿材に接する部分および前記第２基材の前記防湿材と接する部分に設けられた非平坦構造と
を備えた防湿構造。
【請求項２】
前記防湿材は、前記外周部の全周にわたって設けられている
請求項１記載の防湿構造。
【請求項３】
前記非平坦構造は、前記第１基材の前記防湿材に接する部分および前記第２基材の前記防湿材に接する部分を超えて、前記第１基材の前記封止層に接する部分および前記第２基材の前記封止層に接する部分まで設けられている
請求項１記載の防湿構造。
【請求項４】
前記防湿材は、前記外周部のうち角部のみに設けられている
請求項１記載の防湿構造。
【請求項５】
前記外周部の外表面に、押さえ部材が設けられている
請求項１記載の防湿構造。
【請求項６】
前記第１基材および前記第２基材は、一次元方向に湾曲している
請求項１記載の防湿構造。
【請求項７】
前記第１基材および前記第２基材は、それぞれ、透明基板に金属層または樹脂層のパターンを有し、
前記非平坦構造は、前記金属層または前記樹脂層のパターンにより構成されている
請求項１記載の防湿構造。
【請求項８】
前記第１基材および前記第２基材は、それぞれ、透明基板を有し、
前記非平坦構造は、前記透明基板に掘り込まれた溝により構成されている
請求項１記載の防湿構造。
【請求項９】
前記第１基材および前記第２基材は、それぞれ、透明基板を有し、
前記非平坦構造は、前記透明基板の表面の荒れにより構成されている
請求項１記載の防湿構造。
【請求項１０】
第１基材と第２基材との間の表示素子と、前記表示素子を防湿対象とする防湿構造とを備え、
前記防湿構造は、
前記第１基材および前記第２基材の間において前記表示素子を囲み、または覆う封止層と、
前記封止層の外側面に接し、前記第１基材および前記第２基材の前記封止層よりも外側の外周部に設けられた防湿材と、
前記第１基材の前記防湿材に接する部分および前記第２基材の前記防湿材と接する部分に設けられた非平坦構造と
を備えた表示装置。
【請求項１１】
前記防湿材は、前記外周部の全周にわたって設けられている
請求項１０記載の表示装置。
【請求項１２】
前記非平坦構造は、前記第１基材の前記防湿材に接する部分および前記第２基材の前記防湿材に接する部分を超えて、前記第１基材の前記封止層に接する部分および前記第２基材の前記封止層に接する部分まで設けられている
請求項１０記載の表示装置。
【請求項１３】
前記防湿材は、前記外周部のうち角部のみに設けられている
請求項１０記載の表示装置。
【請求項１４】
前記外周部の外表面に、押さえ部材が設けられている
請求項１０記載の表示装置。
【請求項１５】
前記第１基材および前記第２基材は、一次元方向に湾曲している
請求項１０記載の表示装置。
【請求項１６】
前記第２基材は、透明基板の内面に黒色層を有する
請求項１０記載の表示装置。
【請求項１７】
前記黒色層は、前記透明基板と前記封止層との間に設けられている
請求項１６記載の表示装置。
【請求項１８】
前記第２基材の外面に配置された光学部材と、
前記第２基材と前記光学部材とを貼り合わせる接着層と
を更に備え、
前記防湿構造は、
前記接着層の外側面に接し、前記第２基材および前記光学部材の前記接着層よりも外側の外周部に設けられた上部防湿材と、
前記光学部材の前記上部防湿材に接する部分および前記第２基材の前記上部防湿材に接する部分に設けられた上部非平坦構造と
を更に備えた請求項１０記載の表示装置。
【請求項１９】
前記防湿材および前記上部防湿材は、一体をなしている
請求項１８記載の表示装置。
【請求項２０】
前記第１基材は、前記第２基材からはみ出した拡張領域を有し、
前記拡張領域に、端子および前記端子に接続された可撓性配線基板が設けられ、
前記防湿材は前記封止層の外側面から前記可撓性配線基板の端部まで延在している
請求項１０記載の表示装置。
【発明の詳細な説明】
【技術分野】
【０００１】
本開示は、テレビジョン装置等の表示装置に好適な防湿構造、およびこの防湿構造を備えた表示装置に関する。
【背景技術】
【０００２】
液晶、有機ＥＬ（Electroluminescence）などの平面表示装置では、二枚のガラス基板の間に封止層が設けられる。この封止層は、二枚のガラス基板を貼り合わせると共に、内側の表示素子を封止する機能を有している。更に、例えば特許文献１には、封止層の外周部に、表面が親水性を示す物質からなる充填剤を含有した撥水性を有する防湿部を設けることが提案されている。
【先行技術文献】
【特許文献】
【０００３】
【特許文献１】特開２００９−８０３９６号公報
【発明の概要】
【発明が解決しようとする課題】
【０００４】
このような表示装置では、封止層の封止特性低下を抑えるため、封止層への水分の浸入を抑えることが望まれている。
【０００５】
本開示はかかる問題点に鑑みてなされたもので、その目的は、封止層への水分の浸入を抑えることが可能な防湿構造、およびこの防湿構造を備えた表示装置を提供することにある。
【課題を解決するための手段】
【０００６】
本開示による防湿構造は、第１基材と第２基材との間において防湿対象を囲み、または覆う封止層と、封止層の外側面に接し、第１基材および第２基材の封止層よりも外側の外周部に設けられた防湿材と、第１基材の防湿材に接する部分および第２基材の防湿材と接する部分に設けられた非平坦構造とを備えたものである。
【０００７】
本開示による表示装置は、第１基材と第２基材との間の表示素子と、この表示素子を防湿対象とする防湿構造とを備え、防湿構造は、上記本開示による防湿構造により構成されたものである。
【０００８】
本開示の防湿構造、または本開示の表示装置では、第１基材の防湿材に接する部分および第２基材の防湿材と接する部分に非平坦構造が設けられている。非平坦構造で段差形状を設けることにより、第１基材と防湿材との抵抗、または第２基材と防湿材との抵抗が大きくなり、密着性が向上する。これにより、封止層への水分の浸入が抑えられる。仮に水分が浸入しても、浸入した水分は、封止層に到達する前に非平坦構造に達する。水分は、非平坦構造の物理的な段差を乗り越えることが難しいので、非平坦構造により阻止され、それ以上封止層に向かって進みにくくなる。よって、封止層への水分の浸入が抑えられる。
【発明の効果】
【０００９】
本開示の防湿構造、または本開示の表示装置によれば、第１基材の防湿材に接する部分および第２基材の防湿材と接する部分に非平坦構造を設けるようにしたので、封止層への水分の浸入を抑えることが可能となる。
【図面の簡単な説明】
【００１０】
【図１】本開示の第１の実施の形態に係る表示装置の前面側から見た外観の一例を表す斜視図である。
【図２】図１に示した表示装置の背面側から見た外観の一例を表す斜視図である。
【図３】図１に示した液晶パネルの中央部における内部構成の一例を表す断面図である。
【図４】図１に示した液晶パネルの湾曲形状の一例を表す上面図である。
【図５】図３に示した液晶セルの平面図である。
【図６】図５に示した液晶セルのＶＩ−ＶＩ線における概略的な断面図である。
【図７】図６に示した非平坦構造の一例を表す断面図である。
【図８】図６に示した非平坦構造の他の例を表す断面図である。
【図９】図６に示した非平坦構造の一例を表す平面図である。
【図１０】図６に示した非平坦構造の他の例を表す平面図である。
【図１１】図５に示した液晶セルのＸＩ−ＸＩ線における概略的な断面図である。
【図１２】既存の液晶セルにおける端子被覆膜との相違を説明するための断面図である。
【図１３】図１に示した表示装置における表示状態の一例を模式的に表す正面図である。
【図１４】変形例１−１に係る液晶セルの概略的な断面図である。
【図１５】変形例１−２に係る液晶セルの概略的な断面図である。
【図１６】本開示の第２の実施の形態に係る表示装置における液晶セルの概略的な断面図である。
【図１７】変形例２−１に係る液晶セルの概略的な断面図である。
【図１８】本開示の第３の実施の形態に係る表示装置における液晶セルの概略的な断面図である。
【図１９】本開示の第４の実施の形態に係る表示装置における液晶セルの概略的な断面図である。
【図２０】変形例４−１に係る液晶セルの概略的な断面図である。
【図２１】本開示の第５の実施の形態に係る表示装置における液晶セルの概略的な断面図である。
【図２２】本開示の第６の実施の形態に係る表示装置における液晶セルの概略的な断面図である。
【図２３】本開示の第７の実施の形態に係る表示装置における液晶セルの平面図である。
【図２４】図２３に示した防湿材の一例を表す平面図である。
【図２５】図２３に示した防湿材の他の例を表す平面図である。
【図２６】図２３に示した防湿材の更に他の例を表す平面図である。
【図２７】本開示の第８の実施の形態に係る表示装置の有機ＥＬパネルの中央部における内部構成の一例を表す断面図である。
【図２８】図２７に示した有機ＥＬセルの平面図である。
【図２９】図２８に示した有機ＥＬセルのＸＸＩＸ−ＸＸＩＸ線における概略的な断面図である。
【図３０】図２８に示した有機ＥＬセルの表示領域の一例を表す断面図である。
【図３１】本開示の第９の実施の形態に係る表示装置の外観の一例を表す斜視図である。
【図３２】変形例９−１に係る表示装置の外観の一例を表す斜視図である。
【発明を実施するための形態】
【００１１】
以下、本開示の実施の形態について図面を参照して詳細に説明する。なお、説明は以下の順序で行う。
１．第１の実施の形態（湾曲型の液晶表示装置：非平坦構造を、金属層または樹脂層のパターンにより構成した例）
２．変形例１−１（非平坦構造を、第１基材の防湿材に接する部分および第２基材の防湿材に接する部分に設けた例）
３．変形例１−２（黒色層を、透明基板と封止層との間、および封止層よりも内側の領域に設けた例）
４．第２の実施の形態（非平坦構造を、透明基板の加工により形成した例）
５．変形例２−１（黒色層を、透明基板の端まで設けた例）
６．第３の実施の形態（非平坦構造を、透明基板に掘り込まれた溝により構成した例）
７．第４の実施の形態（外周部の外表面に、押さえ部材を設けた例）
８．変形例４−１（押さえ部材を、矩形の三辺をなす形状とした例）
９．第５の実施の形態（非平坦構造を、透明基板の表面の荒れにより構成した例）
１０．第６の実施の形態（第２基材の外面に光学部材を接着層により貼り合わせ、接着層の外側面に接して上部防湿材を設けた例）
１１．第７の実施の形態（防湿材を、外周部のうち角部のみに設けた例）
１２．第８の実施の形態（有機ＥＬ表示装置の例）
１３．第９の実施の形態（平坦型の例）
１４．変形例９−１（前部外装部材を削除し、前面ガラス板を用いた例）
【００１２】
（第１の実施の形態）
図１は、本開示の第１の実施の形態に係る表示装置を前面側から見た外観を表し、図２は、この表示装置を背面側からみた外観を表したものである。この表示装置１は、例えばテレビジョン装置として用いられるものであり、画像表示のための平板状の本体部２をスタンド３Ａ，３Ｂ（以下、スタンド３と総称する。）により支持した構成を有している。なお、表示装置１は、スタンド３を本体部２に取り付けた状態で、床，棚または台などの水平面に載置して据置型として用いられるが、スタンド３を本体部２から取り外した状態で壁掛型として用いることも可能である。
【００１３】
本明細書において、本体部２の前後方向をＺ方向、本体部２の主面（最も広い面）において左右方向をＸ方向、上下方向をＹ方向という。
【００１４】
本体部２は、表示体として、例えば、液晶パネル１０を有している。本体部２の左右端には、後述するスピーカを遮蔽するための前部外装部材４が取り付けられている。液晶パネル１０および前部外装部材４の上下辺には、化粧部材（フロントベゼル）５が被せられている。本体部２の背面は、後部外装部材（リアカバー）６により覆われている。
【００１５】
図３は、図１に示した液晶パネル１０の中央部における内部構成を表したものであり、Ｙ方向に平行な断面を表している。液晶パネル１０は、Ｚ方向前方から後方に向かって、前部筐体（トップシャーシ）１１，液晶セル１２，中間筐体（ミドルシャーシ）１３，光学シート１４，導光板１５、反射板１６を、この順に有している。なお、反射板１６の後ろには、後述する板部材２０が設けられている。
【００１６】
前部筐体１１は、液晶パネル１０の前面周縁部を覆う枠状の金属部品である。液晶セル１２は、例えば、第１基材３１と第２基材３２との間に液晶層（図３には図示せず、図６参照。）を封止した構成を有している。液晶セル１２は、例えばソースドライバ（図示せず）およびソース基板１２Ａを備えている。液晶セル１２とソース基板１２Ａとは、ＣＯＦ（Chip on Film）１２Ｂにより接続されている。中間筐体１３は、液晶セル１２および光学シート１４を保持する枠状の樹脂部品である。光学シート１４は、例えば、拡散板，拡散シート，レンズフィルム，偏光分離シートなどを含んでいる。導光板１５は、光源（図示せず）からの光を液晶パネル１０側へと導くものであり、例えば、ポリカーボネート樹脂（ＰＣ）またはアクリル樹脂（例えば、ＰＭＭＡ（ポリメチルメタクリレート））などの透明熱可塑性樹脂を主に含んで構成されている。反射板１６は、導光板１５の裏側へ出射してきた光を導光板１５へ向けて戻すものであり、発泡ＰＥＴ（ポリエチレンテレフタレート），銀蒸着フィルム，多層膜反射フィルム，または白色ＰＥＴなどの板状またはシート状部材である。
【００１７】
液晶パネル１０の主要な構成要素（枠状部品および基板類を除く）、すなわち液晶セル１２，光学シート１４，導光板１５および反射板１６は、いずれもガラスまたは樹脂よりなる薄い板状またはシート状の可撓性部材により構成されている。従って、液晶パネル１０は全体として可撓性を有している。
【００１８】
また、液晶パネル１０は、図１に示したように、一次元方向（Ｘ方向）に円弧状に湾曲している。具体的には、液晶パネル１０は、例えば図４に示したように、後方（背面側）に凸に湾曲していることが望ましい。このようにすることにより、液晶パネル１０を前方正面から見たときの形状において、中央部が左右部よりもゆるやかに細くなる（図１３参照。）ので、遠近法の視覚効果により一体感・没入感を生み出すことが可能となる。
【００１９】
液晶パネル１０の湾曲形状は、Ｙ方向においては一様であることが好ましい。Ｙ方向において曲率が変化している場合には、液晶パネル１０に局所的にひねりが入り、液晶パネル１０が損傷を受けたり、表示不良を招いたりするおそれがあるからである。
【００２０】
更に、液晶パネル１０の左右（本体部２の左右端）には、図１に示した前部外装部材４の内側に、スピーカ（図示せず）が配置されている。このようにスピーカを本体部２の左右端に配置することにより、映像と音とが視覚的に分離なく一体化し、上述した液晶パネル１０の湾曲による遠近法の視覚効果と相俟って、一体感・没入感を更に強めることが可能となる。
【００２１】
図３に示した板部材２０は、液晶パネル１０を所望の曲率で湾曲した状態に保持するものである。板部材２０は、例えば、液晶パネル１０の背面全体を覆うことが可能な程度の寸法を有する金属または樹脂よりなる可撓性の板により構成されている。板部材２０は、例えば、屈曲または湾曲形状を有する枠部材（図示せず）が裏面にねじ等で固定されることにより、所望の湾曲形状を維持している。
【００２２】
図１および図２に示したスタンド３は、例えば、本体部２の左右の下部に設けられていることが好ましい。その理由は以下の通りである。液晶パネル１０が後方に凸に湾曲している場合には、本体部２の重心の位置に対して、左右端の位置が前方に来るため、スタンド３が本体部２によって隠され、液晶パネル１０が平坦な場合に比べて、スタンド３の本体部２の前方へのはみ出しを目立たなくさせることが可能となる。また、本体部２の左右端にはスピーカが配置されているので、本体部２の左右の下部に敷設されたスタンド３によって、スピーカを確実に支持することが可能となる。
【００２３】
なお、スタンド３は、本体部２の左右の下部に限らず、本体部２の中央の下部に設けることも可能である。また、液晶パネル１０の湾曲が強い場合には、本体部２をスタンド３なしで自立させるようにすることも可能である。図２において向かって左側のスタンド３Ａと、右側のスタンド３Ｂとは、分離されていてもよいし、連結されていてもよい。
【００２４】
図５は、図３に示した液晶セル１２の平面構成を表したものである。液晶セル１２は、Ｘ方向に長い矩形の平面形状を有し、中央部に表示領域１２Ｃが設けられている。液晶セル１２は、第１基材３１および第２基材３２が対向配置された構成を有している。第１基材３１および第２基材３２の間には、後述する液晶層３３（図５には図示せず、図６参照。）を含む液晶表示素子が設けられている。液晶表示素子は、液晶セル１２の中央部の表示領域１２Ｃに配置されている。
【００２５】
液晶セル１２は、一辺（例えば下辺）に、第１基材３１が第２基材３２からはみ出した拡張領域１２Ｄを有している。拡張領域１２Ｄには、端子（図５には図示せず、図１１参照。）が設けられ、この端子にＣＯＦ１２Ｂが接続されている。
【００２６】
一方、液晶セル１２の他の三辺では、第１基材３１および第２基材３２の対応する辺が一致している。換言すれば、第１基材３１の側面と第２基材３２の側面とが面一となっている。この構成は、特に近年の狭額縁化・ゲートドライバレスの傾向に基づくものである。なお、第１基材３１および第２基材３２の対応する辺は必ずしも一致していなくてもよい。
【００２７】
図６は、図５において、拡張領域１２Ｄが設けられていない辺における、当該辺に直交する平面での断面を表したものである。第１基材３１および第２基材３２の間には、上述したように液晶表示素子が設けられているが、図６では液晶表示素子の液晶層３３のみを表している。第１基材３１および第２基材３２は、それぞれ、透明基板３１Ａ，３２Ａを有している。透明基板３１Ａ，３２Ａは、例えば、ガラス基板、シリコンなどの半導体基板、あるいはプラスチック等の可撓性基板により構成されている。透明基板３１Ａ，３２Ａには、液晶表示素子を構成する金属層または樹脂層のパターンが設けられているが、図６では、透明基板３２Ａ上のブラックマトリクスとしての黒色層３２Ｂのみを表し、他の金属層または樹脂層は省略している。黒色層３２Ｂは、透明基板３２Ａの内面に設けられ、金属層または樹脂層により構成されている。
【００２８】
液晶セル１２は、液晶表示素子（図６では液晶層３３のみを表す）を防湿対象とする防湿構造４０を備えている。防湿構造４０は、封止層４１と、防湿材４２とを有している。封止層４１は、第１基材３１と第２基材３２との間において液晶表示素子（図６では液晶層３３のみを表す）を囲んでいる。防湿材４２は、封止層４１の外側面４１Ａに接し、第１基材３１および第２基材３２の封止層４１よりも外側の外周部３４に設けられている。第１基材３１の防湿材４２に接する部分と、第２基材３２の防湿材４２に接する部分とには、非平坦構造４３が設けられている。これにより、この表示装置１では、封止層４１への水分の浸入を抑えることが可能となっている。
【００２９】
封止層４１は、第１基材３１と第２基材３２とを貼り合わせる接着層としての機能も有している。封止層４１は、図５に示したように、表示領域１２Ｃを囲む矩形枠状に設けられている。なお、図５では、封止層４１の設けられている領域に網掛けを施している。封止層４１は、例えば熱硬化樹脂または紫外線硬化樹脂により構成されている。
【００３０】
図６に示した黒色層３２Ｂは、透明基板３２Ａと封止層４１との間に設けられていることが好ましい。近年は狭額縁化が進み、封止層４１よりも内側の領域だけでなく、透明基板３２Ａの端まで黒色層３２Ｂを拡張することが望ましい設計となっている。また、封止層４１も熱硬化が可能となり、狭額縁化が可能となっている。
【００３１】
防湿材４２は、封止層４１の封止性を補助するものであり、例えばフッ素系樹脂よりなる防湿絶縁材料により構成されている。防湿絶縁材料の例としては、日立化成社製「タフィ（商品名）」またはスリーエム社製「ＥＧＣ１７００」などが挙げられる。防湿材４２には、吸湿性のある充填材が添加されていてもよい。
【００３２】
防湿材４２は、例えば図５に示したように、外周部３４の全周にわたって設けられていることが好ましい。封止層４１の全周を防湿材４２で囲むことにより、水分による封止層４１の劣化を抑え、防湿効果を高めることが可能となるからである。なお、図５では、防湿材４２の設けられている領域に右上がりの斜線を施している。
【００３３】
非平坦構造４３は、第１基材３１または第２基材３２の表面に凹凸（段差、ぎざぎざ）をつけることにより、平坦面の場合よりも湿気が入りにくくするようにしたものである。すなわち、非平坦構造４３で段差形状を設けることにより、第１基材３１と防湿材４２との抵抗、または第２基材３２と防湿材４２との抵抗が大きくなり、密着性が向上する。これにより、封止層４１への水分の浸入を抑えることが可能となる。
【００３４】
特に、本実施の形態のように、もともと平坦な液晶パネル１０を円弧状に湾曲させて曲面パネルを形成している場合には、封止層４１にストレスが局所的にかかることがシミュレーションでも確認されている。この封止層４１の信頼性を確保するのに重要なパラメータは湿度である。水分の浸入によって封止層４１およびその周辺の密着強度が劣化し剥がれの原因となる。
【００３５】
上述した特許文献１では、平面の液晶パネルにおいて封止層の外周部に防湿部を設けることが記載されている。しかしながら、封止層４１および防湿材４２のみを有する曲面の液晶パネル１０を実際に作製し、高温高湿試験などの信頼性試験を行ったところ、水分の浸入を完全に防止することができなかった。特に、ガラスよりなる透明基板３２Ａと黒色層３２Ｂとの密着強度は、透明基板３２Ａと封止層４１との密着強度よりも弱く、水分の浸入により密着強度は劣化した。
【００３６】
また、曲面パネルでは、貼り合わせる透明基板３１Ａ，３２Ａの曲率が完全に一致しなければ、密着性の点で平面パネルに比べて不利であり、より水分が浸入しやすい。
【００３７】
本実施の形態では、第１基材３１の防湿材４２に接する部分と、第２基材３２の防湿材４２に接する部分とに非平坦構造４３を設けることにより、上記の曲面パネルにおける問題点を解消し、防湿性能を向上させ、信頼性を向上させることが可能となる。
【００３８】
また、曲面パネルに限らず平面パネルの場合にも、狭額縁化・ゲートドライバレスの傾向により、透明基板３１Ａ，３２Ａと封止層４１との間の距離がますます狭まっており、そのため水分が封止層４１に浸入しやすくなるおそれがある。本実施の形態では、非平坦構造４３を設けることにより、平面パネルの場合にも封止層４１への水分浸入を抑え、信頼性を高めることが可能となる。
【００３９】
非平坦構造４３は、図６に示したように、第１基材３１の防湿材４２に接する部分と、第２基材３２の防湿材４２に接する部分を超えて、第１基材３１の封止層４１に接する部分と、第２基材３２の封止層４１に接する部分まで設けられていることが好ましい。非平坦構造４３で段差形状を設けることにより、第１基材３１と封止層４１との抵抗、または第２基材３２と封止層４１との抵抗が大きくなり、密着性を向上させることが可能となる。
【００４０】
非平坦構造４３は、例えば、透明基板３１Ａ，３２Ａに設けられた金属層または樹脂層のパターンにより構成されていることが好ましい。金属層または樹脂層は透明基板３１Ａ，３２Ａ上に形成される液晶表示素子の構成要素であり、液晶表示素子の形成時に同時に非平坦構造４３を形成可能となる。
【００４１】
このような非平坦構造４３の凹凸高さＨは、例えば、１μｍないし２μｍ程度である。なお、第１基材３１と第２基材３２との間の間隔（セルギャップ）Ｇは、例えば、３μｍないし４μｍ程度である。
【００４２】
図７は、非平坦構造４３の一例を表したものである。また、図７には、非平坦構造４３と共に、液晶表示素子の断面構成の一例を併せて表している。液晶表示素子３５は、例えば、画素電極３１Ｂと共通電極（対向電極）３２Ｃとの間に、液晶層３３を有している。画素電極３１Ｂは、第１基材３１の透明基板３１Ａに設けられ、例えばＩＴＯ（Indium Tin Oxide）などの金属層のパターンにより構成されている。共通電極３２Ｃは、第２基材３２の透明基板３２Ａに設けられ、例えばＩＴＯなどの金属層のパターンにより構成されている。透明基板３２Ａと共通電極３２Ｃとの間には、上述したブラックマトリクスとしての黒色層３２Ｂと、カラーフィルタ３２Ｄと、オーバーコート層３２Ｅとが設けられている。黒色層３２Ｂと、カラーフィルタ３２Ｄと、オーバーコート層３２Ｅは、樹脂層のパターンである。
【００４３】
第１基材３１の非平坦構造４３は、例えば、液晶表示素子３５の画素電極３１Ｂを構成する金属層のパターンにより構成されている。第２基材３２の非平坦構造４３は、例えば、液晶表示素子３５の共通電極３２Ｃを構成する金属層のパターンにより構成されている。なお、第１基材３１の非平坦構造４３は、画素電極３１Ｂ以外の他の金属層のパターン、例えば画素電極３１Ｂの下層に設けられているＴＦＴ（図示せず）の配線などを利用して形成されていてもよい。
【００４４】
図８は、非平坦構造４３の他の例を表したものである。この例では、第２基材３２の非平坦構造４３は、例えば、オーバーコート層３２Ｄを構成する樹脂層のパターンにより構成されている。オーバーコート層３２Ｄは膜厚が２μｍないし３μｍと厚いので、非平坦構造４３の凹凸（段差）を大きくし、水分浸入を抑える効果をより高めることが可能となる。なお、第２基材３１の非平坦構造４３は、オーバーコート層３２Ｄ以外の他の樹脂層のパターン、例えばカラーフィルタ３２Ｄなどを利用して形成されていてもよい。
【００４５】
また、図７および図８は、組み合わせることも可能である。すなわち、第２基材３２の非平坦構造４３として、液晶表示素子３５の画素電極３１Ｂを構成する金属層のパターンと、オーバーコート層３２を構成する樹脂層のパターンとの両方を併用することも可能である。
【００４６】
図９および図１０は、非平坦構造４３の平面構成の例を表したものである。非平坦構造４３としては、例えば図９に示したように、水分浸入方向Ａに対して交差（直交）する方向に伸びる直線パターンを複数並べた、ラダーパターンが有効である。また、図１０に示したようなドット状のパターンも好ましい。ドット状のパターンは、封止層４１の全周にわたって水分浸入経路を確実に塞ぐため、例えば千鳥配置（ドット間ピッチの半分の位置に交互にドットを配置）することが好ましい。ドットの平面形状は、図１０に示した正方形に限らず、長方形、円、楕円など他の形状でもよい。
【００４７】
図１１は、図５に示した拡張領域１２ＤにおけるＹ方向に平行な断面を表したものである。拡張領域１２Ｄには、上述したように端子１２Ｅが設けられている。端子１２Ｅは、第１基材３１の透明基板３１Ａに、表示領域１２Ａ内の画素電極３１Ｂから外周部４３まで延長されたものである。端子１２Ｅの端部には、ＣＯＦ１２Ｂが接続されている。
【００４８】
拡張領域１２Ｄの防湿材４２は、図５に示した他の辺の防湿材４２と同様に、封止層４１の外側面４１Ａに接し、第１基材３１および第２基材３２の封止層４１よりも外側の外周部３４に設けられている。
【００４９】
更に、拡張領域１２Ｄの防湿材４２は、図１１に示したように、Ｙ方向においては、封止層４１の外側面４１ＡからＣＯＦ１２Ｂの端部まで延在していることが好ましい。端子１２Ｅには電気が流れているので、大気中の水分と電池反応を起こし、端子１２Ｅが腐食するおそれがある。端子１２Ｅの表面を防湿材４２で完全に被覆することにより、端子１２Ｅを大気中に露出させず、端子１２Ｅの腐蝕を抑えることが可能となる。なお、これに伴い、防湿材４２は、図１１に示したように、第２基材３２の透明基板３２Ａの側面の一部を覆っていてもよい。
【００５０】
拡張領域１２Ｄの非平坦構造４３は、端子１２Ｅの配置に応じて適宜に設けることが可能である。例えば図１１に示したように、拡張領域１２Ｄでは第１基材３１に端子１２Ｅが設けられているので、非平坦構造４３は、第２基材３２の防湿材４２に接する部分のみに設けるようにしてもよい。
【００５１】
ちなみに、既存の表示装置では、図１２に示したように、端子１１２Ｅの表面からＣＯＦ１１２Ｂの端部にかけて、端子被覆膜１４２を設ける場合があった。しかしながら、この端子被覆膜１４２は、第１基材１３１および第２基材１３２の封止層１４１よりも外側の外周部１３４を完全に埋め込まないので、封止層１４１への水分の浸入を抑えることは難しかった。なお、図１２では、図１１と同一の構成要素には１００番台の同一の符号を付して表している。
【００５２】
この表示装置１は、例えば、次のようにして製造することができる。
【００５３】
まず、ガラス等よりなる透明基板３１Ａを用意し、この透明基板３１Ａに、ＴＦＴ等よりなる駆動回路（図示せず）および金属配線（図示せず）を形成し、有機絶縁層（図示せず）により表面を平坦化する。そののち、有機絶縁層上に、金属層のパターンよりなる画素電極３１Ｂを形成する。その際、外周部３４には、画素電極３１Ｂと同じ金属層のパターンよりなる非平坦構造４３を形成する。これにより、第１基材３１が形成される。
【００５４】
また、ガラス等よりなる透明基板３２Ａを用意し、この透明基板３２Ａに、黒色層３２Ｂおよびカラーフィルタ３２Ｄを形成する。次いで、黒色層３２Ｂおよびカラーフィルタ３２Ｄをオーバーコート層３２Ｅで被覆し、各色のカラーフィルタ３２Ｄの厚みの違いに起因する表面の凹凸を平坦化する。続いて、オーバーコート層３２Ｅの上に、金属層のパターンよりなる共通電極３２Ｃを形成する。
【００５５】
その際、外周部３４には、図７に示したように、共通電極３２Ｃと同じ金属層のパターンよりなる非平坦構造４３を形成する。あるいは、図８に示したように、外周部３４に、オーバーコート層３２Ｅと同じ樹脂層のパターンよりなる非平坦構造４３を形成してもよい。また、両者を併用することも可能である。これにより、第２基材３２が形成される。
【００５６】
そののち、例えば第１基材３１の額縁部に、熱硬化樹脂または紫外線硬化樹脂により封止層４１を形成する。封止層４１は、表示領域１２Ｃを囲む矩形枠状に形成すると共に、第１基材３１の一辺に開口する注入口（図示せず）を空ける。
【００５７】
続いて、第１基材３１の表示領域１２Ｃに配向膜（図示せず）を形成し、第２基材３２の表示領域１２Ｃに配向膜（図示せず）を形成する。そののち、第１基材３１と第２基材３２とを封止層４１を挟んで対向配置し、封止層４１を構成する樹脂を硬化させることにより第１基材３１と第２基材３２との貼り合わせを行う。
【００５８】
続いて、第１基材３１と第２基材３２との間の空間に液晶を注入し、液晶層３３を形成する。そののち、外周部３４に、防湿材４２を塗布する。その際、防湿材４２が非平坦構造４３の凹凸（段差、ぎざぎざ）を確実に埋め込むようにすることが好ましい。以上により、図５および図６に示した液晶セル１２が形成される。
【００５９】
そののち、所望の円弧状の湾曲を持たせた板部材２０を用意し、この板部材２０の一面に、反射板１６，導光板１５および光学シート１４を載せる。また、放熱板および光源（いずれも図示せず）等のバックライト部品を配置する。続いて、板部材２０の周縁部に中間筐体１３を載せ、中間筐体１３に液晶セル１２を嵌め込み、液晶セル１２の前面周縁部に前部筐体１１を取り付ける。これにより、液晶パネル１０が形成される。
【００６０】
ここで、液晶パネル１０の主要な構成要素（枠状部品および基板類を除く）、すなわち液晶セル１２，光学シート１４，導光板１５および反射板１６は、いずれもガラスまたは樹脂よりなる薄い板状またはシート状の可撓性部材により構成されており、液晶パネル１０は全体として可撓性を有している。従って、液晶パネル１０は、板部材２０に倣って円弧状に湾曲した形状となる。
【００６１】
液晶パネル１０を形成したのち、前部筐体１１にスピーカ（図示せず）を取り付け、板部材２０の裏側に基板類（図示せず）を実装する。そののち、スピーカ（図示せず）を前部外装部材４で遮蔽し、液晶パネル１０および前部外装部材４の上下辺に化粧部材５を被せる。これにより、本体部２が形成される。そののち、本体部２の背面を後部外装部材６で被覆し、本体部２の左右の下部にスタンド３を取り付ける。以上により、図１に示した表示装置１が完成する。
【００６２】
この表示装置１では、光源（図示せず）からの光が液晶パネル１０により選択的に透過されることにより、画像表示が行われる。ここでは、液晶パネル１０が一次元方向（Ｘ方向）に後方（背面側）に凸に円弧状に湾曲しているので、図１３に示したように、液晶パネル１０を前方正面から見たときの形状において、中央部が左右部よりもゆるやかに細くなる。よって、遠近法の視覚効果により一体感・没入感を生み出すことが可能となる。とりわけ映画コンテンツなどは、映画館にいるように、より臨場感のある視聴が期待できる。
【００６３】
また、液晶パネル１０の左右にスピーカ（図示せず）が配置されているので、映像と音とが視覚的に分離なく一体化し、上述した液晶パネル１０の湾曲による遠近法の視覚効果と相俟って、一体感・没入感を更に強めることが可能となる。
【００６４】
更に、この表示装置１では、第１基材３１の防湿材４２に接する部分および第２基材３２の防湿材４２と接する部分に非平坦構造４３が設けられている。非平坦構造４３で段差形状を設けることにより、第１基材３１と防湿材４２との抵抗、または第２基材３２と防湿材４２との抵抗が大きくなり、密着性が向上する。これにより、封止層４１への水分の浸入が抑えられる。仮に水分が浸入しても、浸入した水分は、封止層４１に到達する前に非平坦構造４３に達する。水分は、非平坦構造４３の物理的な段差を乗り越えることが難しいので、非平坦構造４３により阻止され、それ以上封止層４１に向かって進みにくくなる。よって、封止層４１への水分の浸入が抑えられる。
【００６５】
このように本実施の形態では、第１基材３１の防湿材４２に接する部分および第２基材３２の防湿材４２と接する部分に非平坦構造４３を設けるようにしたので、この非平坦構造４３が水分浸入に対する物理的な抵抗となり、封止層４１への水分の浸入を抑えることが可能となる。特に、狭額縁化により透明基板３１Ａ，３２Ａの端と封止層４１との距離が狭くなっている場合に好適である。
【００６６】
（変形例１−１）
なお、上記実施の形態では、図６に示したように、非平坦構造４３が、第１基材３１の防湿材４２に接する部分と、第２基材３２の防湿材４２に接する部分を超えて、第１基材３１の封止層４１に接する部分と、第２基材３２の封止層４１に接する部分まで設けられている場合について説明した。しかしながら、図１４に示したように、非平坦構造４３は、第１基材３１の防湿材４２に接する部分と、第２基材３２の防湿材４２に接する部分とのみに設けられていてもよい。
【００６７】
（変形例１−２）
また、上記実施の形態では、黒色層３２Ｂが透明基板３２Ａの端まで設けられている場合について説明した。しかしながら、黒色層３２Ｂは、外周部３４には必ずしも設けられていなくてもよい。例えば図１５に示したように、黒色層３２Ｂは、透明基板３２Ａと封止層４１との間、および封止層４１よりも内側の領域に設けられていてもよい。
【００６８】
（第２の実施の形態）
図１６は、本開示の第２の実施の形態に係る表示装置１Ａにおける液晶セル１２の概略的な断面構成を表したものである。この表示装置１Ａは、非平坦構造４３が、透明基板３１Ａ，３２Ａの表面を削ったり、傷をつけたりすることにより形成されたものであることを除いては、上記第１の実施の形態と同様の構成、作用および効果を有し、上記第１の実施の形態と同様にして製造することができる。
【００６９】
（変形例２−１）
なお、図１６には、黒色層３２Ｂが、透明基板３２Ａと封止層４１との間、および封止層４１よりも内側の領域に設けられている場合を表している。しかしながら、黒色層３２Ｂは、図１７に示したように、透明基板３２Ａの端まで設けられていてもよい。この場合には、外周部３４の黒色層３２Ｂは、非平坦構造４３の上に設けられることになる。
【００７０】
また、図示しないが、第２の実施の形態においても、第１の実施の形態と同様に、非平坦構造４３は、第１基材３１の防湿材４２に接する部分と、第２基材３２の防湿材４２に接する部分を超えて、第１基材３１の封止層４１に接する部分と、第２基材３２の封止層４１に接する部分まで設けられていてもよい。
【００７１】
（第３の実施の形態）
図１８は、本開示の第３の実施の形態に係る表示装置１Ｂにおける液晶セル１２の概略的な断面構成を表したものである。この表示装置１Ｂは、非平坦構造４３が、透明基板３１Ａ，３２Ａに掘り込まれた溝により構成されていることを除いては、上記第１の実施の形態と同様の構成、作用および効果を有し、上記第１の実施の形態と同様にして製造することができる。
【００７２】
本実施の形態の非平坦構造４３は、酸化セリウム（ＣｅＯ2）などを用いた機械的な研磨方法により形成することが可能である。
【００７３】
なお、図示しないが、第３の実施の形態においても、変形例２−１と同様に、黒色層３２Ｂは、透明基板３２Ａの端まで設けられていてもよい。この場合には、外周部３４の黒色層３２Ｂは、非平坦構造４３の上に設けられることになる。
【００７４】
また、図示しないが、第３の実施の形態においても、第１の実施の形態と同様に、非平坦構造４３は、第１基材３１の防湿材４２に接する部分と、第２基材３２の防湿材４２に接する部分を超えて、第１基材３１の封止層４１に接する部分と、第２基材３２の封止層４１に接する部分まで設けられていてもよい。
【００７５】
（第４の実施の形態）
図１９は、本開示の第４の実施の形態に係る表示装置１Ｃにおける液晶セル１２の概略的な断面構成を表したものである。この表示装置１Ｃは、第１基材３１および第２基材３２の外周部３４の外表面に、押さえ部材５０が設けられていることを除いては、上記第２の実施の形態と同様の構成、作用および効果を有し、上記第２の実施の形態と同様にして製造することができる。
【００７６】
押さえ部材５０は、第１基材３１および第２基材３２の端部を押さえて、第１基材３１と第２基材３２とが剥がれにくくすることにより、防湿性を更に高めるものである。とりわけ、第１の実施の形態のように液晶セル１２が湾曲している場合には、第１基材３１と第２基材３２との剥がれを抑え、防湿性を確実にすることが可能となる。
【００７７】
また、押さえ部材５０は、第１基材３１および第２基材３２の強度を補償する補強部材としての機能も有している。特に、第２の実施の形態のように、非平坦構造４３が、透明基板３１Ａ，３２Ａの表面を削ったり、傷をつけたりすることにより形成されている場合や、第３の実施の形態のように、非平坦構造４３として透明基板３１Ａ，３２Ａに溝を設ける場合に好適である。
【００７８】
押さえ部材５０の材料としては、例えば、ポリマーシートが挙げられる。押さえ部材５０の厚みは、例えば、０．５ｍｍ程度である。
【００７９】
（変形例４−１）
図２０は、変形例４−１に係る液晶セル１２の概略的な断面構成を表したものである。本変形例は、押さえ部材５０を矩形の三辺をなす形状とし、液晶セル１２の端を押さえ部材５０で包むことにより、更に高い防湿効果を得るようにしたものである。
【００８０】
（第５の実施の形態）
図２１は、本開示の第５の実施の形態に係る表示装置１Ｄにおける液晶セル１２の概略的な断面構成を表したものである。この表示装置１Ｄは、非平坦構造４３が、透明基板３１Ａ，３２Ａの表面の荒れにより構成されていることを除いては、上記第１の実施の形態と同様の構成、作用および効果を有し、上記第１の実施の形態と同様にして製造することができる。
【００８１】
本実施の形態の非平坦構造４３は、製造工程において透明基板３１Ａ，３１Ｂの外周部３４のみを研磨せず、素ガラスの粗面（ざらざら、凹凸している）を残すことにより形成したものである。本実施の形態の非平坦構造４３の凹凸高さＨは、例えば、０．３μｍないし０．７μｍ程度である。
【００８２】
なお、図２１では、非平坦構造４３が、第１基材３１の防湿材４２に接する部分と、第２基材３２の防湿材４２に接する部分を超えて、第１基材３１の封止層４１に接する部分と、第２基材３２の封止層４１に接する部分まで設けられている場合を表している。しかしながら、図示しないが、第５の実施の形態においても、変形例１−１と同様に、非平坦構造４３は、第１基材３１の防湿材４２に接する部分と、第２基材３２の防湿材４２に接する部分とのみに設けられていてもよい。
【００８３】
また、図２１では、黒色層３２Ｂが透明基板３２Ａの端まで設けられている場合を表している。しかしながら、第５の実施の形態においても、変形例１−２と同様に、黒色層３２Ｂは、外周部３４には必ずしも設けられていなくてもよい。黒色層３２Ｂは、透明基板３２Ａと封止層４１との間、および封止層４１よりも内側の領域に設けられていてもよい。
【００８４】
（第６の実施の形態）
図２２は、本開示の第６の実施の形態に係る表示装置１Ｅにおける液晶セル１２の概略的な断面構成を表したものである。この表示装置１Ｅは、第２基材３２の外面に光学部材６１を接着層６２により貼り合わせ、接着層６２の外側面６２Ａに接して上部防湿材４４を設けたことを除いては、上記第１の実施の形態と同様の構成、作用および効果を有し、上記第１の実施の形態と同様にして製造することができる。
【００８５】
光学部材６１は、例えば、３Ｄ表示に用いられるガラスパターンリターダであり、ガラス基材に１／２波長板などの光学機能フィルムを貼り合わせた構成を有している。なお、通常の偏光板１７Ａ，１７Ｂは、光学部材６１とは別に、第１基材３１の外面および第２基材３２の外面に貼り合わせられている。
【００８６】
接着層６２は、第２基材３２と光学部材６１とを貼り合わせるものであり、例えば熱硬化樹脂または紫外線硬化樹脂により構成されている。
【００８７】
防湿構造４０は、上部防湿材４４と、上部非平坦構造４５とを有している。上部防湿材４４は、接着層６２の外側面６２Ａに接し、第２基材３２および光学部材６１の接着層６２よりも外側の外周部６３に設けられている。上部非平坦構造４５は、光学部材６１の上部防湿材４４に接する部分および第２基材３２の上部防湿材４４に接する部分に設けられている。これにより、本実施の形態では、第２基材３２の外面に光学部材６１を設ける場合にも、接着層６２への水分の浸入を抑えることが可能となる。
【００８８】
防湿材４２および上部防湿材４４は、第２基材３２の側面をまたいで繋がっていることより、連続した一体をなしていることが好ましい。そのためには、防湿材４２および上部防湿材４４は、同一工程で塗布されることが好ましい。これにより、防湿材４２と上部防湿材４４とを別々に設ける場合に比べて、強度を高めることが可能となる。
【００８９】
変形例１−１，１−２は第６の実施の形態にも適用可能である。また、第６の実施の形態は、第２ないし第５の実施の形態のいずれかと組み合わせることも可能である。
【００９０】
（第７の実施の形態）
図２３は、本開示の第７の実施の形態に係る表示装置１Ｆにおける液晶セル１２の平面構成を表したものである。本実施の形態では、防湿材４２が、外周部３４のうち角部３４Ａ，３４Ｂ，３４Ｃ，３４Ｄのみに設けられている。このことを除いては、この表示装置１Ｆは、上記第１の実施の形態と同様の構成、作用および効果を有し、上記第１の実施の形態と同様にして製造することができる。
【００９１】
封止層４１は、第１の実施の形態で説明したように、表示領域１２Ｃを囲む矩形枠状に形成される。封止層４１は、製造工程において一筆書きで樹脂を塗布するので、角部３４Ａ〜３４Ｄでは封止層４１の幅が細くなる傾向がある。また、角部３４Ａ〜３４Ｄは封止層４１のシール強度が劣化しやすく、そこから剥がれが生じやすい。本実施の形態は、角部３４Ａ〜３４Ｄに集中的に防湿材４２を設けることにより、角部３４Ａ〜３４Ｄにおける封止性能を高めるようにしたものである。
【００９２】
防湿材４２は、例えば図２４に示したように、角部３４Ａ〜３４Ｄに沿ったＬ字形に設けられていてもよい。また、防湿材４２は、例えば図２５に示したように、封止層４１や表示領域１２Ｃにかからないように、三角形に設けられていてもよい。あるいは、防湿材４２は、図２６に示したように、角部３４Ａ〜３４Ｄの頂点付近に点状に設けられていてもよい。
【００９３】
非平坦構造４３は、角部３４Ａ〜３４Ｄのみに設けられていてもよいし、外周部３４の全周にわたって設けられていてもよい。
【００９４】
（第８の実施の形態）
図２７は、本開示の第８の実施の形態に係る表示装置１Ｇの本体部２の中央部における内部構成を表したものであり、Ｙ方向に平行な断面を表している。この表示装置１Ｇは、本体部２が、表示体として、液晶パネル１０に代えて有機ＥＬパネル８０を有していることを除いては、上記実施の形態の表示装置１と同様の構成を有している。よって、対応する構成要素には同一の符号を付して説明する。
【００９５】
有機ＥＬパネル８０は、Ｚ方向前方から後方に向かって、前部筐体（トップシャーシ）１１，有機ＥＬセル８２を、この順に有している。前部筐体１１は、第１の実施の形態と同様である。
【００９６】
有機ＥＬセル８２は、例えば、ガラス等の第１基材３１に後述する有機ＥＬ素子（図２７には図示せず、図３０参照。）を設け、ガラス等の第２基材３２で封止した構成を有している。有機ＥＬセル８２は、例えばソースドライバ（図示せず）およびソース基板１２Ａを備えている。有機ＥＬセル８２とソース基板１２Ａとは、ＣＯＦ１２Ｂにより接続されている。
【００９７】
有機ＥＬパネル８０の主要な構成要素（枠状部品および基板類を除く）は有機ＥＬセル８２のみである。有機ＥＬセル８２は、ガラスまたは樹脂よりなる薄い板状またはシート状の可撓性部材により構成されている。従って、本実施の形態では、液晶パネル１０を用いた上記第１の実施の形態に比べて、有機ＥＬパネル８０の可撓性が更に向上しており、上記第１の実施の形態の効果を更に高めることが可能となっている。
【００９８】
本体部２の前部外装部材４，化粧部材５，後部外装部材６は、第１の実施の形態と同様に構成されている。スタンド３，板部材２０は、第１の実施の形態と同様に構成されている。
【００９９】
図２８は、図２７に示した有機ＥＬセル８２の平面構成を表したものである。有機ＥＬセル８２は、Ｘ方向に長い矩形の平面形状を有し、中央部に表示領域１２Ｃが設けられている。有機ＥＬセル８２は、第１基材３１および第２基材３２が対向配置された構成を有している。第１基材３１および第２基材３２の間には、後述する有機ＥＬ素子が設けられている。有機ＥＬ素子は、有機ＥＬセル８２の中央部の表示領域１２Ｃに配置されている。
【０１００】
有機ＥＬセル８２は、一辺（例えば下辺）に、第１基材３１が第２基材３２からはみ出した拡張領域１２Ｄを有している。拡張領域１２Ｄには、端子１２Ｅ（図２８には図示せず、図１１参照。）が設けられ、この端子にＣＯＦ１２Ｂが接続されている。有機ＥＬセル８２の他の三辺では、第１基材３１および第２基材３２の対応する辺が一致している。
【０１０１】
図２９は、図２８において、第１基材３１および第２基材３２の一致している辺におけるＸ方向に平行な断面を表したものである。第１基材３１および第２基材３２の間には、上述したように有機ＥＬ素子３８が設けられている。第１基材３１および第２基材３２は、それぞれ、透明基板３１Ａ，３２Ａを有している。透明基板３１Ａ，３２Ａは、例えば、ガラス基板、シリコンなどの半導体基板、あるいはプラスチック等の可撓性基板により構成されている。透明基板３１Ａ，３２Ａには、有機ＥＬ素子３８を構成する金属層または樹脂層のパターンが設けられているが、図２９では、透明基板３２Ａ上のブラックマトリクスとしての黒色層３２Ｂのみを表し、他の金属層または樹脂層は省略している。
【０１０２】
有機ＥＬセル８２は、第１の実施の形態と同様に、有機ＥＬ素子３８を防湿対象とする防湿構造４０を備えている。防湿構造４０は、第１の実施の形態と同様に、封止層４１と、防湿材４２とを有している。封止層４１は、第１基材３１と第２基材３２との間において有機ＥＬ素子３８を覆っている。防湿材４２は、封止層４１の外側面４１Ａに接し、第１基材３１および第２基材３２の封止層４１よりも外側の外周部３４に設けられている。第１基材３１の防湿材４２に接する部分と、第２基材３２の防湿材４２に接する部分には、非平坦構造４３が設けられている。これにより、この表示装置１Ｇでは、第１の実施の形態と同様に、封止層４１への水分の浸入を抑えることが可能となっている。
【０１０３】
封止層４１は、第１基材３１と第２基材３２とを全面にわたって貼り合わせる接着層としての機能も有している。封止層４１は、図２８に示したように、表示領域１２Ｃの全体を被覆すると共に、第１基材３１と第２基材３２との間の空間のほぼ全体に設けられている。防湿材４２および非平坦構造４３の構成は、第１の実施の形態と同様である。なお、図２８では、封止層４１の設けられている領域に網掛けを施し、防湿材４２の設けられている領域に右上がりの斜線を施している。
【０１０４】
図３０は、図２８に示した有機ＥＬセル８２の表示領域の一例を表したものである。第１基材３１は、透明基板３１Ａに、酸化物ＴＦＴ３６，平坦化絶縁膜３７および有機ＥＬ素子３８をこの順に有している。
【０１０５】
酸化物ＴＦＴ３６は、例えば、透明基板３１Ａに、ゲート電極３６Ａ，ゲート絶縁膜３６Ｂ，酸化物半導体膜３６Ｃ，層間絶縁膜３６Ｄ，ソース・ドレイン電極３６Ｅをこの順に有している。ゲート電極３６Ａは、例えば、モリブデン（Ｍｏ）、またはＡｌ−Ｎｄ合金などの金属層のパターンにより構成されている。ゲート絶縁膜３６Ｂは、例えば、ＳｉＯ２，ＳｉＮｘ，ＳｉＯＮおよびＡｌＯｘなどの単層膜または積層膜である。酸化物半導体膜３６Ｃは、インジウム（Ｉｎ），ガリウム（Ｇａ），亜鉛（Ｚｎ），シリコン（Ｓｉ）およびスズ（Ｓｎ）のうちの少なくとも１種を含む酸化物半導体よりなる。このような酸化物半導体としては、例えば、非晶質のものには、酸化インジウムスズ亜鉛（ＩＴＺＯ），酸化インジウムガリウム亜鉛（ＩＧＺＯ，ＩｎＧａＺｎＯ）が挙げられる。結晶質の酸化物半導体としては、酸化亜鉛（ＺｎＯ），酸化インジウム亜鉛（ＩＺＯ），酸化インジウムガリウム（ＩＧＯ），ＩＴＯ，酸化インジウム（ＩｎＯ）等が挙げられる。層間絶縁膜３６Ｄは、例えば、ＳｉＯ２，ＳｉＮｘ，ＳｉＯＮおよびＡｌＯｘなどの単層膜または積層膜である。ソース・ドレイン電極３６Ｅは、例えば、ＡｌまたはＣｕなどの低抵抗金属により構成されている
【０１０６】
平坦化絶縁膜３７は、例えば、ポリイミドまたはアクリル系樹脂により構成されている。
【０１０７】
有機ＥＬ素子３８は、例えば、平坦化絶縁膜３７上に、第１電極３８Ａ，有機層３８Ｂ，半透過反射層３８Ｃ，高抵抗層３８Ｄおよび第２電極３８Ｅをこの順に有している。第１電極３８Ａは、例えばＡｌまたはＩＴＯなどの金属層のパターンにより構成されている。有機層３８Ｂは、例えば、第１電極３８Ａ上に、黄色発光ユニットと、接続層３８Ｂ４と、青色発光ユニットとをこの順に積層したタンデム構造の白色発光層である。黄色発光ユニットは、例えば、第１電極３８Ａ上に、正孔輸送層３８Ｂ１と、黄色発光層３８Ｂ２と、電子輸送層３８Ｂ３とをこの順に有している。青色発光ユニットは、例えば、接続層３８Ｂ４上に、正孔輸送層３８Ｂ５と、青色発光層３８Ｂ６と、電子輸送層３８Ｂ７とをこの順に有している。半透過反射層３８Ｃは、例えば、Ｍｇ−Ａｇ合金により構成されている。高抵抗層３８Ｄは、例えば、ＳｉＯ2により構成されている。第２電極３８Ｅは、例えば、ＩＴＯなどの金属層のパターンにより構成されている。
【０１０８】
第２基材３２は、透明基板３２Ａに、上述したブラックマトリクスとの黒色層３２Ｂおよびカラーフィルタ３２Ｄを有している。カラーフィルタ３２Ｄ上には、ピラー３２Ｆが設けられている。黒色層３２Ｂと、カラーフィルタ３２Ｄと、ピラー３２Ｆとは、樹脂層のパターンである。
【０１０９】
図２９に示した第１基材３１の非平坦構造４３は、例えば、有機ＥＬ素子３８の第１電極３８Ａを構成する金属層のパターンにより構成されている。図２９に示した第２基材３２の非平坦構造４３は、例えば、カラーフィルタ３２Ｄを構成する樹脂層のパターンにより構成されている。
【０１１０】
非平坦構造４３の平面構成は、第１の実施の形態において図９および図１０はを参照して説明したのと同様である。
【０１１１】
この表示装置１Ｇは、液晶パネル１０に代えて有機ＥＬパネル８０を設けることを除いては、上記実施の形態と同様にして製造することができる。また、この表示装置１Ｇの作用は、上記実施の形態と同様である。
【０１１２】
（第９の実施の形態）
図３１は、本開示の第９の実施の形態に係る表示装置１Ｈの外観の一例を表したものである。この表示装置１Ｈは、液晶パネル１０（または有機ＥＬパネル８０）が平坦である（湾曲していない）ことを除いては、上記第１の実施の形態と同様の構成、作用および効果を有し、上記第１の実施の形態と同様にして製造することができる。
【０１１３】
（変形例９−１）
なお、上記第１ないし第９の実施の形態では、液晶パネル１０（または有機ＥＬパネル８０）の前面周縁部に前部筐体１１および前部外装部材４を取り付ける場合について説明した。しかしながら、図３２に示したように、前部筐体１１および前部外装部材４を廃止してデザイン性を高めることも可能である。本変形例では、液晶パネル１０（または有機ＥＬパネル８０）をそのまま表示装置１Ｉの視聴面としてもよいし、あるいは、液晶パネル１０（または有機ＥＬパネル８０）の前面に板ガラス、樹脂板などの透明板を貼り付けてもよい。また、本変形例では、前部筐体１１および前部外装部材４を設けないので、第１の実施の形態で説明したように、黒色層３２Ｂは、透明基板３２Ａの端まで設けられていることが好ましい。
【０１１４】
以上、実施の形態を挙げて本開示を説明したが、本開示は上記実施の形態に限定されるものではなく、種々の変形が可能である。例えば、上記実施の形態において説明した各層の材料および厚みなどは限定されるものではなく、他の材料および厚みとしてもよい。
【０１１５】
また、例えば、上記実施の形態において表示装置１（テレビジョン装置）の構成を具体的に挙げて説明したが、全ての構成要素を備える必要はなく、また、他の構成要素を更に備えていてもよい。
【０１１６】
本開示は、上記実施の形態で説明したテレビジョン装置のほか、他の表示装置、湾曲スマートフォン、タブレットなど、外部から入力された映像信号あるいは内部で生成した映像信号を、画像あるいは映像として表示するあらゆる分野の電子機器に広く適用することが可能である。
【０１１７】
なお、本技術は以下のような構成を取ることも可能である。
（１）
第１基材と第２基材との間において防湿対象を囲み、または覆う封止層と、
前記封止層の外側面に接し、前記第１基材および前記第２基材の前記封止層よりも外側の外周部に設けられた防湿材と、
前記第１基材の前記防湿材に接する部分および前記第２基材の前記防湿材と接する部分に設けられた非平坦構造と
を備えた防湿構造。
（２）
前記防湿材は、前記外周部の全周にわたって設けられている
前記（１）記載の防湿構造。
（３）
前記非平坦構造は、前記第１基材の前記防湿材に接する部分および前記第２基材の前記防湿材に接する部分を超えて、前記第１基材の前記封止層に接する部分および前記第２基材の前記封止層に接する部分まで設けられている
前記（１）または（２）記載の防湿構造。
（４）
前記防湿材は、前記外周部のうち角部のみに設けられている
前記（１）または（３）記載の防湿構造。
（５）
前記外周部の外表面に、押さえ部材が設けられている
前記（１）ないし（４）のいずれか１項に記載の防湿構造。
（６）
前記第１基材および前記第２基材は、一次元方向に湾曲している
前記（１）ないし（５）のいずれか１項に記載の防湿構造。
（７）
前記第１基材および前記第２基材は、それぞれ、透明基板に金属層または樹脂層のパターンを有し、
前記非平坦構造は、前記金属層または前記樹脂層のパターンにより構成されている
前記（１）ないし（６）のいずれか１項に記載の防湿構造。
（８）
前記第１基材および前記第２基材は、それぞれ、透明基板を有し、
前記非平坦構造は、前記透明基板に掘り込まれた溝により構成されている
前記（１）ないし（６）のいずれか１項に記載の防湿構造。
（９）
前記第１基材および前記第２基材は、それぞれ、透明基板を有し、
前記非平坦構造は、前記透明基板の表面の荒れにより構成されている
前記（１）ないし（６）のいずれか１項に記載の防湿構造。
（１０）
第１基材と第２基材との間の表示素子と、前記表示素子を防湿対象とする防湿構造とを備え、
前記防湿構造は、
前記第１基材および前記第２基材の間において前記表示素子を囲み、または覆う封止層と、
前記封止層の外側面に接し、前記第１基材および前記第２基材の前記封止層よりも外側の外周部に設けられた防湿材と、
前記第１基材の前記防湿材に接する部分および前記第２基材の前記防湿材と接する部分に設けられた非平坦構造と
を備えた表示装置。
（１１）
前記防湿材は、前記外周部の全周にわたって設けられている
前記（１０）記載の表示装置。
（１２）
前記非平坦構造は、前記第１基材の前記防湿材に接する部分および前記第２基材の前記防湿材に接する部分を超えて、前記第１基材の前記封止層に接する部分および前記第２基材の前記封止層に接する部分まで設けられている
前記（１０）または（１１）記載の表示装置。
（１３）
前記防湿材は、前記外周部のうち角部のみに設けられている
前記（１０）または（１２）記載の表示装置。
（１４）
前記外周部の外表面に、押さえ部材が設けられている
前記（１０）ないし（１３）のいずれか１項に記載の表示装置。
（１５）
前記第１基材および前記第２基材は、一次元方向に湾曲している
前記（１０）ないし（１４）のいずれか１項に記載の表示装置。
（１６）
前記第２基材は、透明基板の内面に黒色層を有する
前記（１０）ないし（１５）のいずれか１項に記載の表示装置。
（１７）
前記黒色層は、前記透明基板と前記封止層との間に設けられている
前記（１６）記載の表示装置。
（１８）
前記第２基材の外面に配置された光学部材と、
前記第２基材と前記光学部材とを貼り合わせる接着層と
を更に備え、
前記防湿構造は、
前記接着層の外側面に接し、前記第２基材および前記光学部材の前記接着層よりも外側の外周部に設けられた上部防湿材と、
前記光学部材の前記上部防湿材に接する部分および前記第２基材の前記上部防湿材に接する部分に設けられた上部非平坦構造と
を更に備えた前記（１０）ないし（１７）のいずれか１項に記載の表示装置。
（１９）
前記防湿材および前記上部防湿材は、一体をなしている
前記（１８）記載の表示装置。
（２０）
前記第１基材は、前記第２基材からはみ出した拡張領域を有し、
前記拡張領域に、端子および前記端子に接続された可撓性配線基板が設けられ、
前記防湿材は前記封止層の外側面から前記可撓性配線基板の端部まで延在している
前記（１０）ないし（１９）のいずれか１項に記載の表示装置。
【符号の説明】
【０１１８】
１…表示装置、２…本体部、３…スタンド、４…前部外装部材、５…化粧部材、６…後部外装部材、１０…液晶パネル、１１…前部筐体、１２…液晶セル、１２Ａ…ソース基板、１２Ｂ…ＣＯＦ、１３…中間筐体、１４…光学シート、１５…導光板、１６…反射板、２０…板部材、３１…第１基材、３１Ａ，３２Ａ…透明基板、３２…第２基材、３３…液晶層、３４…外周部、３５…液晶表示素子、３６…酸化物ＴＦＴ、３７…平坦化絶縁膜、３８…有機ＥＬ素子、４０…防湿構造、４１…封止層、４２…防湿部、４３…非平坦構造、４４…上部防湿材、４５…上部非平坦構造、５０…押さえ部材、６１…光学部材、６２…接着層、８０…有機ＥＬパネル、８２…有機ＥＬセル。
【図１】
2014119705.tif 000003
【図２】
2014119705.tif 000004
【図３】
2014119705.tif 000005
【図４】
2014119705.tif 000006
【図５】
2014119705.tif 000007
【図６】
2014119705.tif 000008
【図７】
2014119705.tif 000009
【図８】
2014119705.tif 000010
【図９】
2014119705.tif 000011
【図１０】
2014119705.tif 000012
【図１１】
2014119705.tif 000013
【図１２】
2014119705.tif 000014
【図１３】
2014119705.tif 000015
【図１４】
2014119705.tif 000016
【図１５】
2014119705.tif 000017
【図１６】
2014119705.tif 000018
【図１７】
2014119705.tif 000019
【図１８】
2014119705.tif 000020
【図１９】
2014119705.tif 000021
【図２０】
2014119705.tif 000022
【図２１】
2014119705.tif 000023
【図２２】
2014119705.tif 000024
【図２３】
2014119705.tif 000025
【図２４】
2014119705.tif 000026
【図２５】
2014119705.tif 000027
【図２６】
2014119705.tif 000028
【図２７】
2014119705.tif 000029
【図２８】
2014119705.tif 000030
【図２９】
2014119705.tif 000031
【図３０】
2014119705.tif 000032
【図３１】
2014119705.tif 000033
【図３２】
2014119705.tif 000034